(57)【特許請求の範囲】
【請求項１】
セキュリティ用無線装置であって、
天井面や壁面を含む取り付け面に固定される取り付け金具と、前記取り付け金具に直接的または間接的に取り付けられる本体部と、前記本体部を前記取り付け金具に間接的に取り付けるときに使用され、自身を介して前記本体部を前記取り付け金具に取り付けるための中間ブラケット部材と、を備え、
前記取り付け金具は、前記本体部または前記中間ブラケット部材を固定するための金具側固定部を備え、
前記本体部は、前記本体部を前記取り付け金具に固定するために使用される第１の本体側固定部および第２の本体側固定部と、前記第１の本体側固定部と前記第２の本体側固定部との間に形成され、無線通信機能を有する内部装置を収容する内部装置収容部と、を含み、
前記第１の本体側固定部は、前記本体部を第１の体勢で前記取り付け金具に取り付けたときに、前記金具側固定部に対向する位置に形成されており、
前記第２の本体側固定部は、前記本体部を前記第１の体勢を反転させた第２の体勢で前記取り付け金具に取り付けたときに、前記金具側固定部に対向する位置に形成されており、
前記中間ブラケット部材は、前記中間ブラケット部材を前記取り付け金具に固定するために使用される第１のブラケット側固定部と、前記本体部を前記中間ブラケット部材に固定するために使用される第２のブラケット側固定部と、前記第１のブラケット側固定部と前記第２のブラケット側固定部との間に形成され、前記本体部を前記中間ブラケット部材に取り付けたときに、前記セキュリティ用無線装置の外部から前記セキュリティ用無線装置の内部に引き込まれて前記本体部に収容されている前記内部装置に接続される配線を収容するためのブラケット側配線収容部と、を含み、
前記第１のブラケット側固定部は、前記中間ブラケット部材を前記取り付け金具に取り付けたときに、前記金具側固定部と対向する位置に形成されており、
前記第２のブラケット側固定部は、前記本体部を前記第１の体勢で前記中間ブラケット部材に取り付けたときに、前記第２の本体側固定部と対向し、前記本体部を前記第２の体勢で前記中間ブラケット部材に取り付けたときに、前記第１の本体側固定部と対向する位置に形成されているセキュリティ用無線装置。
【請求項２】
請求項１に記載のセキュリティ用無線装置であって、
前記中間ブラケット部材は、前記第１のブラケット側固定部および前記第２のブラケット側固定部が形成されたブラケット側主面部と、前記ブラケット側主面部の外周に形成された枠状のブラケット側外周面部とを備えており、
前記本体部は、前記第１の本体側固定部および前記第２の本体側固定部が形成された本体側ケースを備えており、
前記本体部を前記中間ブラケット部材に取り付けるときの取り付け方向から見たときの前記ブラケット側外周面部の外形は、前記本体側ケースを前記取り付け方向から見たときの外形とほぼ同じであるセキュリティ用無線装置。
【請求項３】
請求項２に記載のセキュリティ用無線装置であって、
前記ブラケット側主面部は、略矩形形状の外形を備えており、
前記ブラケット側外周面部は、前記ブラケット側主面部の４つの端辺にそれぞれ対応した４つのブラケット側平面部を備えており、
前記ブラケット側配線収容部は、前記４つのブラケット側平面部のそれぞれに接しているセキュリティ用無線装置。
【請求項４】
請求項３に記載のセキュリティ用無線装置であって、
前記本体側ケースは、
前記第１の本体側固定部および前記第２の本体側固定部が形成された略矩形形状の本体側主面部と、
前記本体側主面部の外周に形成された枠状の本体側外周面部であって、前記本体側主面部の４つの端辺にそれぞれ対応した４つの本体側平面部を備える本体側外周面部と、
前記本体側平面部のうちの１つと前記内部装置収容部との間に形成され、前記本体側主面部の端辺に沿って延伸した形状を有し、前記セキュリティ用無線装置の外部から前記セキュリティ用無線装置の内部に引き込まれて前記内部装置収容部に収容されている前記内部装置に接続される配線を収容するための本体側配線収容部とを備えているセキュリティ用無線装置。
【請求項５】
請求項４に記載のセキュリティ用無線装置であって、
前記ブラケット側外周面部には、前記セキュリティ用無線装置の外部から前記ブラケット側配線収容部に配線を引き込むための切り欠き部を形成するための目地状の溝が形成されており、
前記本体側外周面部には、前記セキュリティ用無線装置の外部から前記本体側配線収容部に配線を引き込むための切り欠き部を形成するための目地状の溝が形成されているセキュリティ用無線装置。
【請求項６】
請求項４に記載のセキュリティ用無線装置であって、
前記取り付け金具は、略矩形形状の金具側主面部と、前記本体部または前記中間ブラケット部材と係合するための一対の金具側係合部を備えており、
前記金具側固定部は、前記金具側主面部の端辺に形成されており、
前記一対の金具側係合部は、前記金具側主面部の端辺のうち、前記金具側主面部が形成されている端辺と直交する一対の端辺にそれぞれ形成されており、
前記本体側ケースは、前記一対の金具側係合部と係合する一対の本体側金具係合部を備えており、
前記第１の本体側固定部および前記第２の本体側固定部は、前記本体側主面部の互いに対向する端辺にそれぞれ形成され、
前記一対の本体側金具係合部は、前記本体側主面部の端辺のうち、前記第１の本体側固定部が形成されている端辺と直交する一対の端辺にそれぞれ形成されており、前記本体部を前記第１の体勢と前記第２の体勢のいずれの体勢で前記取り付け金具に取り付けた場合でも、前記一対の本体側金具係合部のそれぞれが、前記一対の金具側係合部のそれぞれと係合するセキュリティ用無線装置。
【請求項７】
請求項１ないし請求項６のいずれか一項に記載のセキュリティ用無線装置であって、
前記中間ブラケット部材は、前記本体部を前記中間ブラケット部材に取り付けたときに、前記本体部と係合するブラケット側係合部を備え、
前記本体部は、
前記本体部を前記第１の体勢で前記中間ブラケット部材に取り付けたときに、前記ブラケット側係合部と係合する第１の本体側ブラケット係合部と、前記本体部を前記第２の体勢で前記中間ブラケット部材に取り付けたときに、前記ブラケット側係合部と係合する第２の本体側ブラケット係合部とを備え、
前記ブラケット側係合部は、前記第２のブラケット側固定部よりも前記第１のブラケット側固定部に近い位置に形成されており、
前記第１の本体側ブラケット係合部および前記第２の本体側ブラケット係合部は、前記第１の本体側固定部と前記第２の本体側固定部の間に形成されているセキュリティ用無線装置。
【請求項８】
請求項６に従属する請求項７に記載のセキュリティ用無線装置であって、
前記金具側固定部と、前記第１の本体側固定部と、前記第２の本体側固定部と、前記第１のブラケット側固定部と、前記第２のブラケット側固定部とは、雌ねじ部であり、ねじを挿通させることによって、互いに対向する雌ねじ部と間接的に係合し、
前記ブラケット側係合部とは、先端に引っ掛け部が形成された突起部であり、
前記第１の本体側ブラケット係合部および前記第２の本体側ブラケット係合部とは、前記ブラケット側係合部の先端を挿通させる開口部であり、
前記中間ブラケット部材は、前記一対の金具側係合部と係合する一対のブラケット側金具係合部を備えており、
前記一対の金具側係合部とは、一対のフックであり、
前記一対の本体側金具係合部および前記一対のブラケット側金具係合部とは、前記一対のフックを挿通させる一対の開口部であり、
前記一対のブラケット側金具係合部を前記一対の金具側係合部に係合させる方法は、前記一対の本体側金具係合部を前記一対の金具側係合部に係合させる方法と同じであるセキュリティ用無線装置。
【請求項９】
天井面や壁面を含む取り付け面に固定される取り付け金具と、前記取り付け金具に取り付けられる本体部と、を備えるセキュリティ用無線装置の前記本体部を前記取り付け金具に間接的に取り付けるときに使用され、自身を介して前記本体部を前記取り付け金具に取り付けるための中間ブラケット部材であって、
前記取り付け金具は、前記本体部または前記中間ブラケット部材を固定するための金具側固定部を備えており、
前記本体部は、前記本体部を前記取り付け金具に固定するために使用される第１の本体側固定部および第２の本体側固定部と、前記第１の本体側固定部と前記第２の本体側固定部との間に形成され、無線通信機能を有する内部装置を収容する内部装置収容部と、を含み、
前記第１の本体側固定部は、前記本体部を第１の体勢で前記取り付け金具に取り付けたときに、前記金具側固定部に対向する位置に形成されており、
前記第２の本体側固定部は、前記本体部を前記第１の体勢を反転させた第２の体勢で前記取り付け金具に取り付けたときに、前記金具側固定部に対向する位置に形成されており、
前記中間ブラケット部材は、前記中間ブラケット部材を前記取り付け金具に固定するために使用される第１のブラケット側固定部と、前記本体部を前記中間ブラケット部材に固定するために使用される第２のブラケット側固定部と、前記第１のブラケット側固定部と前記第２のブラケット側固定部との間に形成され、前記本体部を前記中間ブラケット部材に取り付けたときに、前記セキュリティ用無線装置の外部から前記セキュリティ用無線装置の内部に引き込まれて前記本体部に収容されている前記内部装置に接続される配線を収容するためのブラケット側配線収容部と、を含んでおり、
前記第１のブラケット側固定部は、前記中間ブラケット部材を前記取り付け金具に取り付けたときに、前記金具側固定部と対向する位置に形成されており、
前記第１のブラケット側固定部は、前記本体部を前記第１の体勢で前記中間ブラケット部材に取り付けたときに、前記第２の本体側固定部と対向し、前記本体部を前記第２の体勢で前記中間ブラケット部材に取り付けたときに、前記第１の本体側固定部と対向する位置に形成されている中間ブラケット部材。
【発明の詳細な説明】
【技術分野】
【０００１】
本発明は、セキュリティ用無線装置およびセキュリティ用無線装置を壁面等に取り付けるための中間ブラケット部材に関する。
【背景技術】
【０００２】
従来から、家庭内、オフィス内、工場内等において防犯用等の目的で使用されるセキュリティシステムの少なくとも一部を構成するセキュリティ用無線装置が知られている（引用文献１）。このセキュリティ用無線装置は、例えば、建物の壁面に取り付けられ、携帯電話用の無線回線や、無線ＬＡＮ及びインターネットを介して建物内の異常を警備会社に通報する。このセキュリティ用無線装置に関して、取り付け金具を介して壁面に取り付けられるものが知られている。また、壁面を這わせた電源用や通信用等の配線を内部に引き込んだものが知られている。
【先行技術文献】
【特許文献】
【０００３】
【特許文献１】特開２０１１−１７５５９７号公報
【発明の概要】
【発明が解決しようとする課題】
【０００４】
このセキュリティ用無線装置は、装置の破壊や改変などを防ぐため、建物への侵入者等にその存在を気がつかれないように、できるだけ目立たなくする必要があった。そのため、セキュリティ用無線装置は、装置全体の大きさを小型化することが望まれていた。一方、小型化されたセキュリティ用無線装置は、装置の内部が狭いため、電源用配線等の配線を装置の内部に収容することがほとんどできなかった。従来から、セキュリティ用無線装置を設置する際に、装置に外部配線を引き込むと、引き込んだ配線の長さが余ることがあった。小型化されたセキュリティ用無線装置は、余った配線を装置の内部に収容することができないため、装置の周囲において配線が余った状態となる場合があった。この場合、セキュリティ用無線装置が小型化されているにも関わらず、装置周辺の余った配線によって、結果的に装置が目立ってしまうという問題があった。また、装置周辺の美観を損ねることになった。
【０００５】
また、セキュリティ用無線装置は、電波の受信状態や設置場所によって、装置の向きや配置を変えたい場合がある。例えば、装置の外表面にアンテナがある場合には、そのアンテナが壁や天井に物理的に干渉しないように装置を配置する必要があり、また、装置と無線通信をおこなう通信対象の位置とアンテナの位置との間に装置自身の本体部が位置すると、本体部が通信の障害となる可能性があるので、そのような配置を避けるように装置の向きを変える場合がある。
【課題を解決するための手段】
【０００６】
上記課題を解決するために、本発明は、以下の形態として実現することが可能である。
【０００７】
（１）本発明の一形態によれば、セキュリティ用無線装置が提供される。このセキュリティ用無線装置は、天井面や壁面を含む取り付け面に固定される取り付け金具と、前記取り付け金具に直接的または間接的に取り付けられる本体部と、前記本体部を前記取り付け金具に間接的に取り付けるときに使用され、自身を介して前記本体部を前記取り付け金具に取り付けるための中間ブラケット部材と、を備え、前記取り付け金具は、前記本体部または前記中間ブラケット部材を固定するための金具側固定部を備え、前記本体部は、前記本体部を前記取り付け金具に固定するために使用される第１の本体側固定部および第２の本体側固定部と、前記第１の本体側固定部と前記第２の本体側固定部との間に形成され、無線通信機能を有する内部装置を収容する内部装置収容部と、を含み、前記第１の本体側固定部は、前記本体部を第１の体勢で前記取り付け金具に取り付けたときに、前記金具側固定部に対向する位置に形成されており、前記第２の本体側固定部は、前記本体部を前記第１の体勢を反転させた第２の体勢で前記取り付け金具に取り付けたときに、前記金具側固定部に対向する位置に形成されており、前記中間ブラケット部材は、前記中間ブラケット部材を前記取り付け金具に固定するために使用される第１のブラケット側固定部と、前記本体部を前記中間ブラケット部材に固定するために使用される第２のブラケット側固定部と、前記第１のブラケット側固定部と前記第２のブラケット側固定部との間に形成され、前記本体部を前記中間ブラケット部材に取り付けたときに、前記セキュリティ用無線装置の外部から前記セキュリティ用無線装置の内部に引き込まれて前記本体部に収容されている前記内部装置に接続される配線を収容するためのブラケット側配線収容部と、を含み、前記第１のブラケット側固定部は、前記中間ブラケット部材を前記取り付け金具に取り付けたときに、前記金具側固定部と対向する位置に形成されており、前記第２のブラケット側固定部は、前記本体部を前記第１の体勢で前記中間ブラケット部材に取り付けたときに、前記第２の本体側固定部と対向し、前記本体部を前記第２の体勢で前記中間ブラケット部材に取り付けたときに、前記第１の本体側固定部と対向する位置に形成されていることを特徴としている。
【０００８】
この構成によれば、建物への侵入者等にその存在を気がつかれないように、セキュリティ用無線装置をより目立たなくすることができる。具体的には、この構成によれば、セキュリティ用無線装置に外部配線を引き込んだ際に装置の周囲において配線の長さが余らなかった場合、または、目立たない程度に長さが余る場合には、中間ブラケット部材を使用せずにセキュリティ用無線装置の本体部を直接的に取り付け面に固定できる。そのため、装置全体の大きさを抑制することができる。一方、セキュリティ用無線装置に外部配線を引き込んだ際に装置の周囲において配線の長さが目立つ程度に余る場合には、中間ブラケット部材を使用することによって、中間ブラケット部材の内部の配線収容部に余った配線を収容することができる。これにより、装置周辺の余った配線によって装置が目立つようになることを抑制することができる。また、この構成によれば、選択的に中間ブラケット部材を使用してセキュリティ用無線装置の本体部を取り付け面に固定することができるため、取り付け場所の状況に応じてより目立たない構成を選択することができる。
【０００９】
また、この構成によれば、本体部は第１の体勢または第２の体勢で取り付け金具に取り付け可能に構成されているため、本体部の配線引き込み位置を変更することができる。そのため、装置の周囲において配線の長さが余らない方の体勢を選択することができる。また、本体部にアンテナ等の突起物がある場合、本体部の周辺の物と干渉しない方の体勢を選択することができる。また、アンテナの向きを変えることができるため、本体部と通信対象物との通信電波状況の良い方の体勢を選択することができる。また、この構成によれば、本体部は第１の体勢または第２の体勢で中間ブラケット部材に取り付け可能に構成されているため、本体部の周辺の物理的な状況や、通信電波状況に応じて体勢を変更することができる。
【００１０】
また、この構成によれば、第２のブラケット側固定部は、本体部を第１の体勢で中間ブラケット部材に取り付けたときに、第２の本体側固定部と対向し、本体部を第２の体勢で中間ブラケット部材に取り付けたときに、第１の本体側固定部と対向する位置に形成されているため、セキュリティ用無線装置の本体部を大型化させることなく本体部を中間ブラケット部材に固定することができる。具体的には、この構成によれば、中間ブラケット部材は、本体部に設けられた、本来、本体部を取り付け金具に固定するための２つの本体側固定部のうち、取り付け金具との間の固定に使用されていない方を用いて、本体部を中間ブラケット部材に固定することができる。そのため、本体部に中間ブラケット部材との間の固定に使用される固定部を別途設ける必要がない。よって、本体部を大型化させることなく本体部を中間ブラケット部材に固定することができる。また、この構成によれば、本体部を中間ブラケット部材に取り付けるときの取り付け方法は、本体部を取り付け金具に取り付けるときの取り付け方法と同様となる。よって、本体部を取り付け金具に取り付けるときの取り付け方法のみを覚えれば、本体部を中間ブラケット部材に取り付ける場合にも対応できるため、セキュリティ用無線装置を設置する際の作業性を高めることができる。
【００１１】
また、この構成によれば、内部装置収容部が第１の本体側固定部と第２の本体側固定部との間に配置され、ブラケット側配線収容部が第１のブラケット側固定部と第２のブラケット側固定部との間に形成されているためセキュリティ用無線装置をより目立たなくすることができる。具体的には、本体部を第１の体勢または第２の体勢で中間ブラケット部材に取り付けたとき、第１の本体側固定部および第２の本体側固定部は、第１のブラケット側固定部および第２のブラケット側固定部のいずれかと概ね対向する。そのため、本体部を中間ブラケット部材に取り付けたとき、本体側の大部分を占める内部装置収容部と中間ブラケット部材の大部分を占めるブラケット側配線収容部は、本体部を中間ブラケット部材に取り付けるときの取り付け方向から見て概ね重なる。よって、本体部を中間ブラケット部材に取り付ける方向から見たときのセキュリティ用無線装置全体の大きさを抑制することができる。
【００１２】
（２）上記形態のセキュリティ用無線装置において、前記中間ブラケット部材は、前記第１のブラケット側固定部および前記第２のブラケット側固定部が形成されたブラケット側主面部と、前記ブラケット側主面部の外周に形成された枠状のブラケット側外周面部とを備えており、前記本体部は、前記第１の本体側固定部および前記第２の本体側固定部が形成された本体側ケースを備えており、前記本体部を前記中間ブラケット部材に取り付けるときの取り付け方向から見たときの前記ブラケット側外周面部の外形は、前記本体側ケースを前記取り付け方向から見たときの外形とほぼ同じであることを特徴としていてもよい。
【００１３】
この構成によれば、本体部を中間ブラケット部材に取り付けるときの取り付け方向から見たときのセキュリティ用無線装置全体の大きさを抑制することができる。よって、セキュリティ用無線装置をより目立たなくすることができる。
【００１４】
（３）上記形態のセキュリティ用無線装置において、前記ブラケット側主面部は、略矩形形状の外形を備えており、前記ブラケット側外周面部は、前記ブラケット側主面部の４つの端辺にそれぞれ対応した４つのブラケット側平面部を備えており、前記ブラケット側配線収容部は、前記４つのブラケット側平面部のそれぞれに接していることを特徴としていてもよい。
【００１５】
この構成によれば、ブラケット側配線収容部は、４つのブラケット側平面部のそれぞれに接しているため、いずれのブラケット側平面部からも配線を引き込むことができる。よって、セキュリティ用無線装置の周囲において、壁面を這わせた配線の配線経路を目立つほど変化させずに装置に引き込むことができる。
【００１６】
（４）上記形態のセキュリティ用無線装置において、前記本体側ケースは、前記第１の本体側固定部および前記第２の本体側固定部が形成された略矩形形状の本体側主面部と、前記本体側主面部の外周に形成された枠状の本体側外周面部であって、前記本体側主面部の４つの端辺にそれぞれ対応した４つの本体側平面部を備える本体側外周面部と、前記本体側平面部のうちの１つと前記内部装置収容部との間に形成され、前記本体側主面部の端辺に沿って延伸した形状を有し、セキュリティ用無線装置の外部から前記セキュリティ用無線装置の内部に引き込まれて前記内部装置収容部に収容されている前記内部装置に接続される配線を収容するための本体側配線収容部を備えていることを特徴としていてもよい。
【００１７】
この構成によれば、本体側配線収容部は、本体側平面部のうちの１つと内部装置収容部との間に形成され、本体側主面部の端辺に沿って延伸した形状を有している。これにより、本体側配線収容部を本体部の片側のみに設けて本体部の大型化を抑制しつつ、本体側外周面部のうち、内側が本体側収容部と接している部分から配線を本体部の内部に引き込むことができる。
【００１８】
（５）上記形態のセキュリティ用無線装置において、前記ブラケット側外周面部には、前記セキュリティ用無線装置の外部から前記ブラケット側配線収容部に配線を引き込むための切り欠き部を形成するための目地状の溝が形成されており、前記本体側外周部には、前記セキュリティ用無線装置の外部から前記本体側配線収容部に配線を引き込むための切り欠き部を形成するための目地状の溝が形成されていることを特徴としていてもよい。
この構成によれば、壁面を這わせた配線をセキュリティ用無線装置に引き込むための切り欠き部を容易に形成することができる。中間ブラケット部材を用いれば、電波受信対応やアンテナと周辺物体との接触回避だけでなく、同時に配線取込位置を自由に設定できる。よって、装置周辺で配線引き回しを必要以上におこなう必要がないので、装置をより目立たなくすることができる。
【００１９】
（６）上記形態のセキュリティ用無線装置において、前記取り付け金具は、略矩形形状の金具側主面部と、前記本体部または前記中間ブラケット部材と係合するための一対の金具側係合部を備えており、前記金具側固定部は、前記金具側主面部の端辺に形成されており、前記一対の金具側係合部は、前記金具側主面部の端辺のうち、前記金具側主面部が形成されている端辺と直交する一対の端辺にそれぞれ形成されており、前記本体側ケースは、前記一対の金具側係合部と係合する一対の本体側金具係合部を備えており、前記第１の本体側固定部および前記第２の本体側固定部は、前記本体側主面部の互いに対向する端辺にそれぞれ形成され、前記一対の本体側金具係合部は、前記本体側主面部の端辺のうち、前記第１の本体側固定部が形成されている端辺と直交する一対の端辺にそれぞれ形成されており、前記本体部を前記第１の体勢と前記第２の体勢のいずれの体勢で前記取り付け金具に取り付けた場合でも、前記一対の本体側金具係合部のそれぞれが、前記一対の金具側係合部のそれぞれと係合することを特徴としていてもよい。
【００２０】
この構成によれば、第１または第２の本体側固定部と金具側固定部との間の固定位置、および、一対の本体側係合部と一対の金具側係合部との間の２つの係合位置が、金具側主面部および本体側主面部のそれぞれにおいて、互いに異なる端辺に形成される。これにより、取り付け金具と本体部とを互いに直線状に並ばない３箇所で固定することができるとともに、この３箇所の互いの距離を大きくすることができ、取り付け金具と本体部との間の固定をより安定化させることができる。また、この構成によれば、中間ブラケット部材および本体部ともに内部空間を大きくすることができ、ブラケット側配線収容部および内部装置収容部のサイズを確保した上で、外形を小さく、より目立ちにくくすることができる。
【００２１】
（７）上記形態のセキュリティ用無線装置において、前記中間ブラケット部材は、前記本体部を前記中間ブラケット部材に取り付けたときに、前記本体部と係合するブラケット側係合部を備え、前記本体部は、前記本体部を前記第１の体勢で前記中間ブラケット部材に取り付けたときに、前記ブラケット側係合部と係合する第１の本体側ブラケット係合部と、前記本体部を前記第２の体勢で前記中間ブラケット部材に取り付けたときに、前記ブラケット側係合部と係合する第２の本体側ブラケット係合部とを備え、前記ブラケット側係合部は、前記第２のブラケット側固定部よりも前記第１のブラケット側固定部に近い位置に形成されており、前記第１の本体側ブラケット係合部および前記第２の本体側ブラケット係合部は、前記第１の本体側固定部と前記第２の本体側固定部の間に形成されていることを特徴としていてもよい。
【００２２】
この構成によれば、ブラケット側係合部は、第２のブラケット側固定部よりも第１のブラケット側固定部に近い位置に形成されているため、中間ブラケット部材と本体部との間の固定をより安定化させることができる。具体的には、この構成によれば、ブラケット側係合部が第１のブラケット側固定部よりも第２のブラケット側固定部に近い位置に形成されている場合よりも、第１または第２の本体側ブラケット係合部とブラケット側係合部との間の係合位置と、第１または第２の本体側固定部と第２のブラケット側固定部との間の固定位置との間の距離を大きくすることができる。よって、これらによる中間ブラケット部材と本体部との間の固定をより安定化させることができる。より具体的には、この構成によれば、本体部と係合するブラケット側係合部が、本体部との固定に使用される第２のブラケット側固定部よりも、本体部と固定に使用されない第１のブラケット側固定部に近い位置となる。そのため、本体部と中間ブラケット部材のそれぞれの一方の端部に、ブラケット側係合部と本体部との間の係合部が位置し、本体部と中間ブラケット部材のそれぞれの他方の端部に、第２のブラケット側固定部と本体部との間の固定部が位置する。そのため、本体部と中間ブラケット部材とをそれぞれの両端部において固定することができる。よって、本体部と中間ブラケット部材のそれぞれの中央付近に上記の係合部および固定部が集まってしまう構成よりは、本体部と中間ブラケット部材との間の固定が安定する。そのため、例えば、本体部の他端部を強引に押し広げて本体部を中間ブラケット部材から取り外すことがより難しくなる。また、この構成によれば、第１の本体側ブラケット係合部と第２の本体側ブラケット係合部は、概ね第１の本体側固定部と第２の本体側固定部の間に形成されているため、中間ブラケット部材と本体部との間の固定をより安定化させることができる。具体的には、この構成によれば、本体部を中間ブラケット部材に取り付ける取り付け方向から見たときに、本体部の重心点が、第１または第２の本体側ブラケット係合部とブラケット側係合部との係合位置と、第１または第２の本体側固定部と第２のブラケット側固定部との固定位置と、の間に概ね位置するように構成される。よって、中間ブラケット部材と本体部との間の固定をより安定化させることができる。
【００２３】
（８）上記形態のセキュリティ用無線装置において、前記金具側固定部と、前記第１の本体側固定部と、前記第２の本体側固定部と、前記第１のブラケット側固定部と、前記第２のブラケット側固定部とは、雌ねじ部であり、ねじを挿通させることによって、互いに対向する雌ねじ部と間接的に係合し、前記ブラケット側係合部とは、先端に引っ掛け部が形成された突起部であり、前記第１の本体側ブラケット係合部および前記第２の本体側ブラケット係合部とは、前記ブラケット側係合部の先端を挿通させる開口部であり、前記中間ブラケット部材は、前記一対の金具側係合部と係合する一対のブラケット側金具係合部を備えており、前記一対の金具側係合部とは、一対のフックであり、前記一対の本体側金具係合部および前記一対のブラケット側金具係合部とは、前記一対のフックを挿通させる一対の開口部であり、前記一対のブラケット側金具係合部を前記一対の金具側係合部に係合させる方法は、前記一対の本体側金具係合部を前記一対の金具側係合部に係合させる方法と同じであることを特徴としていてもよい。
【００２４】
この構成によれば、取り付け金具、本体部、および、中間ブラケット部材に形成された雌ねじを互いに対向させた状態でネジを挿通させることによって、これらを互いに容易に固定することができる。また、この構成によれば、中間ブラケット部材に形成された、引っ掛け部を備える突起部を本体部に設けられた開口部に係合させることによって、これらを互いに容易に固定することができる。また、この構成によれば、本体部と中間ブラケット部材のどちらを取り付け金具に取り付ける場合であっても、取り付け金具側のフックに対して、本体部または中間ブラケット部材をスライドさせて仮固定したうえで、ネジによりスライドを抑制して固定することができる。また、本体部を取り付け金具に取り付ける方法と同様の方法で、中間ブラケット部材を取り付け金具に取り付けることができるため、装置設置時の取り付け作業方法を統一することができる。また、取り付け金具側のフックに本体部または中間ブラケット部材を引っ掛け、そのままスライドさせるだけで容易に仮固定でき、その後のねじ締めも容易である。
【００２５】
なお、本発明は、種々の態様で実現することが可能であり、例えば、セキュリティ用無線装置の本体部を取り付け金具に間接的に取り付けるときに使用され、自身を介して前記本体部を前記取り付け金具に取り付けるための中間ブラケット部材、セキュリティ用無線装置の取り付け構造、取り付け方法、セキュリティ用無線装置の製造方法、セキュリティ用無線装置を含んだセキュリティシステムなどの形態で実現することができる。
【図面の簡単な説明】
【００２６】
【図１】セキュリティ用無線装置を例示した図。
【図２】セキュリティ用無線装置を例示した斜視図。
【図３】セキュリティ用無線装置の取り付け方法を例示した第１の斜視図。
【図４】セキュリティ用無線装置の取り付け方法を例示した第２の斜視図。
【図５】第２の取り付け方法で取り付けられたセキュリティ用無線装置を示した図。
【図６】第２の取り付け方法で取り付けられたセキュリティ用無線装置の斜視図。
【図７】セキュリティ用無線装置の第２の取り付け方法を例示した第１の斜視図。
【図８】セキュリティ用無線装置の第２の取り付け方法を例示した第２の斜視図。
【図９】中間ブラケット部材を含まないセキュリティ用無線装置の第１の分解斜視図。
【図１０】中間ブラケット部材を含まないセキュリティ用無線装置の第２の分解斜視図。
【図１１】中間ブラケット部材を含まないセキュリティ用無線装置第３の分解斜視図。
【図１２】中間ブラケット部材を含むセキュリティ用無線装置の第１の分解斜視図。
【図１３】中間ブラケット部材を含むセキュリティ用無線装置の第２の分解斜視図。
【図１４】中間ブラケット部材を含むセキュリティ用無線装置の第３の分解斜視図。
【図１５】取り付け金具を例示した図。
【図１６】取り付け金具を例示した斜視図。
【図１７】本体側ケースを例示した図。
【図１８】本体側ケースを例示した斜視図。
【図１９】中間ブラケット部材を例示した図。
【図２０】中間ブラケット部材を例示した斜視図。
【発明を実施するための形態】
【００２７】
Ａ．第１実施形態：
図１は、セキュリティ用無線装置１０を例示した図である。図１（ａ）〜（ｅ）は、それぞれ、セキュリティ用無線装置１０の正面図、上面図、底面図、右側面図、および、左側側面図である。図２は、セキュリティ用無線装置の斜視図である。以後、図１（ａ）に示されたセキュリティ用無線装置１０の紙面上方側を「セキュリティ用無線装置１０の上方側」、紙面下方側を「セキュリティ用無線装置１０の下方側」、紙面右側を「セキュリティ用無線装置１０の右側」、紙面左側を「セキュリティ用無線装置１０の左側」とも呼ぶ。
【００２８】
セキュリティ用無線装置１０は、略直方体形状の外観を備えており、例えば、家庭内、オフィス内、工場内等の壁面や天井面など取り付け面２０に取り付けられる。本実施形態の取り付け面２０は、ほぼ鉛直の壁面であるが、取り付け面２０は、傾斜面や水平面であってもよく、また曲面であってもよい。セキュリティ用無線装置１０は、例えば、家庭の壁面や柱面等に取り付けられ、携帯電話用の無線回線や、無線ＬＡＮ及びインターネットを介して建物内の異常を警備会社に通報するように構成されていてもよい。本実施形態のセキュリティ用無線装置１０は、右側の側面部に棒状のアンテナ１２１が取り付けられている。アンテナ１２１は、基端部がセキュリティ用無線装置１０の本体部に回動可能に固定されている。
【００２９】
図３は、セキュリティ用無線装置１０の取り付け方法を例示した斜視図である。図３に示すように、セキュリティ用無線装置１０は、本体部１００と、取り付け金具２００とを含んでいる。取り付け金具２００は、ネジや釘等の固定部材によって取り付け面２０に直接固定されている。以後、図３に示された取り付け金具２００の紙面上方側を「取り付け金具２００の上方側」、紙面下方側を「取り付け金具２００の下方側」とも呼ぶ。図３に示すように、本体部１００は、上方側が取り付け金具２００の上方側に対向し、下方側が取り付け金具２００の下方側に対向する体勢（以後、「第１の体勢」とも呼ぶ）で取り付け金具２００に取り付け可能に構成されている。
【００３０】
図４は、本体部１００が、第１の体勢の上下及び左右をそれぞれ反転させた体勢（以後、「第２の体勢」とも呼ぶ）で取り付け金具２００に取り付けられた状態を示している。本体部１００を第１の体勢および第２の体勢で取り付け金具２００に固定するための具体的な方法については後述する。このように、セキュリティ用無線装置１０は、本体部１００を第１の体勢または第２の体勢で取り付け金具２００に取り付け可能に構成されているため、例えば、アンテナ１２１が本体部１００の周辺の物体と物理的に干渉しない方の体勢を選択することができる。また、アンテナ１２１と本体部１００との相対的な位置を変えることができるため、本体部１００と通信対象物との通信電波状況の良い方の体勢を選択することができる。また、本体部１００における配線Ｗの引き込み位置を変えることができるため、後述するように、本体部１００に配線Ｗを引き込む際に引き込まれる配線Ｗが目立たない方の体勢を選択することができる。
【００３１】
セキュリティ用無線装置１０は、上述したように、本体部１００を直接的に取り付け金具２００に取り付けることができるほか、後述する中間ブラケット部材３００を介して本体部１００を間接的に取り付け金具２００に取り付けることができる。以後、本体部１００を直接的に取り付け金具２００に取り付ける方法を「第１の取り付け方法」とも呼ぶ。また、後述する中間ブラケット部材３００を介して本体部１００を間接的に取り付け金具２００に取り付ける方法を「第２の取り付け方法」とも呼ぶ。
【００３２】
図５は、第２の取り付け方法で取り付けられたセキュリティ用無線装置１０を例示した図である。図５（ａ）〜（ｅ）は、それぞれ、図１（ａ）〜（ｅ）と同様の方向から見た状態を例示している。図６は、図２と同様の方向から見た状態を例示している。第２の取り付け方法で取り付けられるセキュリティ用無線装置１０は、本体部１００および取り付け金具２００のほか、中間ブラケット部材３００を含んでおり、全体として略直方体形状を備えている。中間ブラケット部材３００は、セキュリティ用無線装置１０を取り付け面２０に取り付けたときに、本体部１００と取り付け面２０との間に配置され、セキュリティ用無線装置１０を自身の厚み分だけ取り付け面２０から離した状態で本体部１００を支持する。図５（ａ）に示すように、中間ブラケット部材３００は、セキュリティ用無線装置１０を正面視したときの外周部の形状が本体部１００の外周部の形状と概ね一致するように構成されている。これにより、中間ブラケット部材３００を使用してセキュリティ用無線装置１０を取り付け面２０に取り付けた場合であっても、セキュリティ用無線装置１０の外観を目立たなくすることができる。中間ブラケット部材３００は、例えば、樹脂等の射出形成によって製造することができる。
【００３３】
図７は、第２の取り付け方法によってセキュリティ用無線装置１０を取り付け面２０に取り付ける方法を例示した説明図である。中間ブラケット部材３００は、取り付け面２０に固定された取り付け金具２００に直接固定される。中間ブラケット部材３００を取り付け金具２００に固定する具体的な方法については後述する。以後、図７に示された中間ブラケット部材３００の紙面上方側を「中間ブラケット部材３００の上方側」、紙面下方側を「中間ブラケット部材３００の下方側」とも呼ぶ。本体部１００は、第１の体勢で中間ブラケット部材３００に取り付け可能に構成されている。すなわち、本体部１００は、上方側が金具２００の上方側に対向し、下方側が金具２００の下方側に対向する体勢で中間ブラケット部材３００に取り付け可能に構成されている。
【００３４】
図８は、本体部１００が、第２の体勢で取り付け金具２００に取り付けられた状態を示している。本体部１００を中間ブラケット部材３００に固定するための具体的な方法については後述する。このように、セキュリティ用無線装置１０は、第２の取り付け方法によっても、本体部１００を第１の体勢または第２の体勢で中間ブラケット部材３００に取り付け可能に構成されているため、本体部１００の周辺の物理的な状況や、通信電波状況に応じて本体部１００の体勢を変更することができる。すなわち、セキュリティ用無線装置１０を取り付ける際に、図３、４、７、８に示した４つの取り付け方法のいずれかのうちで、本体部１００の周辺の物理的な状況、通信状態を考慮して最適なものを選択することができる。
【００３５】
図９〜図１１は、中間ブラケット部材３００を用いない第１の取り付け方法で取り付けられるセキュリティ用無線装置１０の分解斜視図である。図９〜図１１には、それぞれ、後述する内部装置１２０に接続される配線Ｗの第１の配線経路、第２の配線経路、および、第３の配線経路が示されている。図９〜１１では、本体部１００は第１の体勢で取り付け金具２００に取り付けられている。
【００３６】
本体部１００は、外側ケース１１０と、内部装置１２０と、本体側ケース４００とを含んでいる。外側ケース１１０は、開口端を備える略函状の外形を有しており、略矩形形状の外側ケース主面部１１１と、外側ケース主面部１１１の外周に形成された枠状の外側ケース外周面部１１２とを備えている。本体側ケース４００は、略矩形形状の本体側主面部４０１と、本体側主面部４０１の外周に形成された枠状の本体側外周面部４１０とを備えている。本体側ケース４００は、本体側外周面部４１０に囲まれた領域内に、内部装置１２０を収容するための内部装置収容部ＭＳと、内部装置１２０から外部に延びる配線Ｗを収容するための本体側配線収容部ＳＳが形成されている。本体側ケース４００の本体側主面部４０１には、必要に応じて、図１１に示すように、内部装置１２０から延びる配線Ｗを本体側ケース４００の裏側に挿通させるための本体側開口部４４０が形成されている。
【００３７】
外側ケース１１０の外側ケース外周面部１１２によって形成される開口端と、本体側ケース４００の本体側外周面部４１０によって形成される開口端は、ほぼ同じ形状している。外側ケース外周面部１１２の開口端と本体側外周面部４１０の開口端とを接触させることによって、内側に内部装置１２０を収容した状態で、外側ケース１１０を本体側ケース４００に固定することができる。中間ブラケット部材３００を用いない第１の取り付け方法で取り付けられるセキュリティ用無線装置１０では、本体側ケース４００が取り付け金具２００に固定される。外側ケース１１０と本体側ケース４００は、例えば、樹脂等の射出形成によって製造することができる。
【００３８】
内部装置１２０は、無線通信機能を有しており、基板部１２２と、電源部１２３と、アンテナ１２１を備えている。基板部１２２と電源部１２３は、本体側ケース４００の内部装置収容部ＭＳに収容されている。内部装置１２０には、セキュリティ用無線装置１０の外部からセキュリティ用無線装置１０の内部に引き込まれた配線Ｗが接続されている。この配線Ｗは、例えば、電源供給用の電源用配線と、建物内の他の装置（例えば、監視カメラ）との通信用の配線の少なくとも一方の機能を有する配線であり、これらの両方の機能を有していてもよい。
【００３９】
セキュリティ用無線装置１０は、取り付け面２０を含む壁面上を這わせた配線、および、取り付け面２０の裏側から取り付け面２０に設けられた開口部２１を介して取り出される配線のいずれも引き込み可能に構成されている。第１の取り付け方法で取り付けられたセキュリティ用無線装置１０は、セキュリティ用無線装置１０の内部に引き込まれた配線Ｗを図９〜図１１に示す配線経路のうちの少なくとも１つの配線経路によって内部装置１２０に接続させることができる。
【００４０】
例えば、図９に示すように、取り付け面２０を含む壁面上を這わせた配線Ｗをセキュリティ用無線装置１０に引き込む場合、本体側ケース４００の本体側外周面部４１０のうち、内側が本体側配線収容部ＳＳと接する部分を切り欠いて切り欠き部ＣＰを形成し、この切り欠き部ＣＰを介してセキュリティ用無線装置１０の内部に引き込むことができる。図９では、本体側外周面部４１０の上方側の面のうち、左側の端部付近に切り欠き部ＣＰが形成されている。引き込まれた配線Ｗは、先端部が内部装置１２０の所定の位置に接続される。また、先端部と切り欠き部ＣＰとの間の配線Ｗは、本体側配線収容部ＳＳに収容される。なお、切り欠き部ＣＰを形成する位置については、本体側外周面部４１０のうち、内側が本体側配線収容部ＳＳと接する部分であれば図９で示した位置に限定されない。例えば、図１０に示すように、本体側外周面部４１０の下方側の面のうち、左側の端部付近に切り欠き部ＣＰを形成して配線Ｗを引き込んでもよい。この場合であっても、引き込まれた配線Ｗの先端部を内部装置１２０の所定の位置に接続することができる。また、内部装置１２０に接続された先端部と切り欠き部ＣＰとの間の配線Ｗを本体側配線収容部ＳＳに収容することができる。
【００４１】
一方、例えば、図１１に示すように、取り付け面２０の裏側から取り付け面２０に設けられた開口部２１を介して取り出される配線Ｗをセキュリティ用無線装置１０に引き込む場合、まず、取り付け面２０に設けられた開口部２１と取り付け金具２００に設けられた金具側開口部２４０とが連通するように金具２００を取り付ける。そして、取り付け金具２００の金具側開口部２４０を介して配線Ｗを取り出す。金具側開口部２４０から取り出された配線Ｗを本体側ケース４００の本体側開口部４４０を挿通させて内部装置１２０の所定の位置に接続させることができる。
【００４２】
図１２〜図１４は、中間ブラケット部材３００を用いる第２の取り付け方法で取り付けられるセキュリティ用無線装置１０の分解斜視図である。図１２〜図１４には、それぞれ、内部装置１２０に接続される配線Ｗの第４の配線経路、第５の配線経路、および、第６の配線経路が例示されている。図１２〜図１４では、本体部１００は第１の体勢で中間ブラケット部材３００に取り付けられた状態が例示されている。第２の取り付け方法で取り付けられるセキュリティ用無線装置１０では、本体側ケース４００は中間ブラケット部材３００に固定される。
【００４３】
中間ブラケット部材３００は、略矩形形状のブラケット側主面部３０１と、ブラケット側主面部３０１の外周に形成された枠状のブラケット側外周面部３１０とを備えている。中間ブラケット部材３００は、ブラケット側外周面部３１０に囲まれた領域に、内部装置１２０から延びる配線Ｗを収容するためのブラケット側配線収容部ＷＳが形成されている。ブラケット側主面部３０１には、必要に応じて、図１４に示すように、内部装置１２０から延びる配線Ｗを中間ブラケット部材３００の裏側に挿通させるためのブラケット側開口部３４０が形成されている。ブラケット側外周面部３１０によって形成される開口端は、本体側主面部４０１の外周部と、ほぼ同じ形状している。中間ブラケット部材３００は、ブラケット側外周面部３１０の開口端を本体側ケース４００の本体側主面部４０１に接触させた状態で本体部１００を支持する。第２の取り付け方法で取り付けられたセキュリティ用無線装置１０は、セキュリティ用無線装置１０の内部に引き込まれた配線Ｗを図１２〜図１４に示す配線経路のうちの少なくとも１つの配線経路によって内部装置１２０に接続させることができる。
【００４４】
例えば、図１２に示すように、取り付け面２０を含む壁面上を這わせた配線Ｗをセキュリティ用無線装置１０に引き込む場合、ブラケット側外周面部３１０の任意の部分に切り欠き部ＣＰを形成し、この切り欠き部ＣＰを介してセキュリティ用無線装置１０の内部に引き込むことができる。図１２では、切り欠き部ＣＰを形成する位置の一例として、ブラケット側外周面部３１０の上方側の面のうち、右側の端部付近に切り欠き部ＣＰが形成されている。引き込まれた配線Ｗは、先端部が内部装置１２０の所定の位置に接続される。また、先端部と切り欠き部ＣＰとの間の配線Ｗは、ブラケット側配線収容部ＷＳに収容される。切り欠き部ＣＰから引き込まれた配線Ｗは、ブラケット側配線収容部ＷＳの内部において、配線方向を変化させ、本体側開口部４４０を介して内部装置１２０の所定の位置に接続される。なお、切り欠き部ＣＰを形成する位置については、図１２で示した位置に限定されない。例えば、図１３に示すように、本体側外周面部４１０の下方側の面のうち、左側の端部付近に切り欠き部ＣＰを形成して配線Ｗを引き込んでもよい。また、他の例として、ブラケット側外周面部３１０の左右の側面を切り欠いて切り欠き部ＣＰを形成してもよい。これらの場合であっても、切り欠き部ＣＰから引き込まれた配線をブラケット側配線収容部ＷＳの内部において、配線方向を変化させ、本体側開口部４４０を介して内部装置１２０の所定の位置に接続させることができる。このとき、ブラケット側配線収容部ＷＳの内部において、長さの余った配線Ｗを収容することができる。そのため、セキュリティ用無線装置１０の外部において長さの余った配線Ｗが目立つことを抑制することができる。
【００４５】
一方、例えば、図１４に示すように、取り付け面２０の裏側から取り付け面２０に設けられた開口部を介して取り出される配線Ｗをセキュリティ用無線装置１０に引き込む場合、まず、取り付け面２０に設けられた開口部と取り付け金具２００に設けられた金具側開口部２４０とが連通するように金具２００を取り付ける。そして、取り付け金具２００の金具側開口部２４０を介して配線Ｗを取り出す。金具側開口部２４０から取り出された配線Ｗをブラケット側開口部３４０および本体側開口部４４０を挿通させて内部装置１２０の所定の位置に接続させることができる。このとき、ブラケット側配線収容部ＷＳの内部において、長さの余った配線Ｗを収容することができる。このように、セキュリティ用無線装置１０は、図９〜１４に例示された配線経路のうちで、セキュリティ用無線装置１０の周辺の配線の状況、装置自体の大きさ考慮して最も目立たない構成を選択することができる。
【００４６】
図１５は、取り付け金具２００を例示した図である。図１５（ａ）〜（ｅ）は、それぞれ、取り付け金具２００の正面図、上面図、底面図、右側側面図、および、左側側面図である。図１６は、取り付け金具２００の斜視図である。
【００４７】
取り付け金具２００は、金具側主面部２０１と、金具側固定部２１０と、一対の金具側係合部２２０、２３０（第１の金具側係合部２２０と第２の金具側係合部２３０）と、を備えている。金具側主面部２０１は、略矩形形状の外形を備え、孔部２０２、２０３に取り付けたネジや釘等の固定部材によって取り付け面２０に固定される。金具側主面部２０１の略中央部には、上述した金具側開口部２４０が形成されている。
【００４８】
金具側固定部２１０は、本体部１００または中間ブラケット部材３００を取り付け金具２００に固定するための部位であって、金具側主面部２０１の上方側の端辺に形成されている。金具側固定部２１０には、孔部２１１が形成されており、ネジやピンなどの固定部材を用いて、本体部１００または中間ブラケット部材３００を取り付け金具２００に固定可能に構成されている。例えば、孔部２１１は雌ねじ部として構成されていてもよい。この場合、本体部１００または中間ブラケット部材３００に設けられた雌ねじ部に挿通されたネジを孔部２１１に挿通させることによって、本体部１００または中間ブラケット部材３００を取り付け金具２００に容易に固定することができる。
【００４９】
一対の金具側係合部２２０、２３０は、本体部１００または中間ブラケット部材３００を固定するための部位であって、金具側主面部２０１の左右の両端辺に形成されている。一対の金具側係合部２２０、２３０は、それぞれ、本体部１００または中間ブラケット部材３００と係合することによって、本体部１００または中間ブラケット部材３００を取り付け金具２００に固定する。このように取り付け金具２００は、金具側固定部２１０および一対の金具側係合部２２０、２３０のそれぞれが互いに異なる金具側主面部２０１の端辺に形成されている。これにより、取り付け金具２００と、本体部１００または中間ブラケット部材３００とを互いに直線状に並ばない３箇所で固定することができるとともに、この３箇所の互いの距離を大きくすることができ、取り付け金具２００と、本体部１００または中間ブラケット部材３００との間の固定をより安定化させることができる。なお、本実施形態の一対の金具側係合部２２０、２０３は、それぞれ先端が上方側を向いたフックとして構成されている。本実施形態では、取り付け金具２００に取り付けられた本体部１００または中間ブラケット部材３００は、金具側固定部２１０においてネジ止めされることによって上下方向の移動が規制される。
【００５０】
図１７は、本体側ケース４００を例示した図である。図１７（ａ）〜（ｅ）は、それぞれ、本体側ケース４００の正面図、上面図、底面図、右側側面図、および、左側側面図である。図１８は、本体側ケース４００の斜視図である。
【００５１】
本体側ケース４００は、本体側主面部４０１と、本体側外周面部４１０のほか、一対の本体側金具係合部４２０、４３０（第１の本体側金具係合部４２０と第２の本体側金具係合部４３０）と、第１の本体側固定部４５０と、第２の本体側固定部４６０、第１の本体側ブラケット係合部４７１と、第２の本体側ブラケット係合部４７２とを備えている。本体側主面部４０１の略中央部には、上述した本体側開口部４４０が形成されている。
【００５２】
一対の本体側金具係合部４２０、４３０は、取り付け金具２００の一対の金具側係合部２２０、２３０とそれぞれ係合するための部位であって、本体側主面部４０１の左右の両端辺の略中央に形成されている。本実施形態では、一対の本体側金具係合部４２０、４３０は、それぞれ上下方向に延伸した開口部として構成されている。本体側ケース４００を第１の体勢で取り付け金具２００に取り付けるとき、第１の本体側金具係合部４２０が第１の金具側係合部２２０と係合し、第２の本体側金具係合部４３０が第２の金具側係合部２３０と係合する。また、本体側ケース４００を第２の体勢で取り付け金具２００に取り付けるとき、第１の本体側金具係合部４２０が第２の金具側係合部２３０と係合し、第２の本体側金具係合部４３０が第１の金具側係合部２２０と係合する。本体側ケース４００は、第１の体勢であっても第２の体勢であっても、一対の本体側金具係合部４２０、４３０に一対の金具側係合部２２０、２０３を挿通させた後、本体側ケース４００を下方向にスライドさせることで取り付け金具２００に仮固定される。
【００５３】
第１の本体側固定部４５０は、第１の体勢の本体側ケース４００を取り付け金具２００に固定するための部位であって、本体側ケース４００を第１の体勢で取り付け金具２００に取り付けたときに金具側固定部２１０に対向する位置に形成されている。本実施形態では、第１の本体側固定部４５０は、本体側主面部４０１の上方側の端辺に形成されている。
【００５４】
第２の本体側固定部４６０は、第２の体勢の本体側ケース４００を取り付け金具２００に固定するための部位であって、第２の体勢の本体側ケース４００を取り付け金具２００に取り付けたときに金具側固定部２１０に対向する位置に形成されている。本実施形態では、第２の本体側固定部４６０は、本体側主面部４０１の下方側の端辺に形成されている。
【００５５】
第１の本体側固定部４５０と第２の本体側固定部４６０は、本体側主面部４０１の中心点を対象点として略点対称となる位置に形成されている。第１の本体側固定部４５０と第２の本体側固定部４６０には、それぞれ貫通した孔部が形成されており、ネジやピンなどの固定部材を用いて、金具側固定部２１０に間接的に係合可能に構成されている。例えば、第１の本体側固定部４５０と第２の本体側固定部４６０は雌ねじ部として構成されていてもよい。この場合、ネジを第１の本体側固定部４５０と第２の本体側固定部４６０のいずれか一方と、金具側固定部２１０に挿通させることによって、本体側ケース４００を取り付け金具２００に容易に固定することができる。本体側ケース４００を取り付け金具２００に取り付ける場合には、まず、一対の本体側金具係合部４２０、４３０に一対の金具側係合部２２０、２０３を挿通させた後、本体側ケース４００を下方向にスライドさせることで本体側ケース４００を仮固定し、その後、第１または第２の本体側固定部４５０、４６０と、金具側固定部２１０にネジを挿通させることによって、本体側ケース４００を固定することができる。
【００５６】
第１の本体側固定部４５０および一対の本体側金具係合部４２０、４３０、のそれぞれは、互いに異なる本体側主面部４０１の端辺に形成されている。また、第２の本体側固定部４６０も一対の本体側金具係合部４２０、４３０と異なる本体側主面部４０１の端辺に形成されている。これにより、本体側ケース４００を第１の体勢および第２の体勢で取り付け金具２００に取り付けたとき、いずれの場合にも、本体側ケース４００を互いに直線状に並ばない３箇所で固定することができるとともに、この３箇所の互いの距離を大きくすることができ、取り付け金具２００との間の固定をより安定化させることができる。
【００５７】
第１の本体側ブラケット係合部４７１は、第１の体勢の本体側ケース４００を中間ブラケット部材３００に取り付けたときに、後述するブラケット側係合部３７０と係合する。また、第２の本体側ブラケット係合部４７２は、第２の体勢の本体側ケース４００を中間ブラケット部材３００に取り付けたときに、そのブラケット側係合部３７０と係合する。本実施形態では、第１の本体側ブラケット係合部４７１と第２の本体側ブラケット係合部４７２は、開口部として構成されており、本体側主面部４０１の中心点を対象点として略点対称となる位置に形成されている。また、本実施形態では、第１の本体側ブラケット係合部４７１と第２の本体側ブラケット係合部４７２は、ほぼ第１の本体側固定部４５０と第２の本体側固定部４６０との間にそれぞれ形成されている。これにより、本体側ケース４００と中間ブラケット部材３００との間の固定を安定化させることができる。具体的には、この構成によれば、本体側ブラケット係合部４７１、４７２とブラケット側係合部３７０との係合位置と、本体側固定部４５０、４６０と第２のブラケット側固定部３６０との固定位置と、の間に概ね本体側主面部４０１の中心点が通る。すなわち、本体部１００を中間ブラケット部材３００に取り付ける取り付け方向から見たときに、本体部１００の重心点が、この係合位置と固定位置との間に概ね位置するように構成される。よって、これらによる中間ブラケット部材３００と本体部１００との間の固定をより安定化させることができる。
【００５８】
本体側外周面部４１０は、本体側主面部４０１の上方側端部に形成される上方側本体外周平面部４１１と、下方側端部に形成される下方側本体外周平面部４１２と、右側端部に形成される右側本体外周平面部４１３と、左側端部に形成される左側本体外周平面部４１４とを備えている。この４つの本体外周平面部４１１〜４１４と本体側主面部４０１によって本体側配線収容部ＳＳおよび内部装置収容部ＭＳが形成されている。右側本体外周平面部４１３には、アンテナ取り出し部４１６が形成されている。これにより、内部装置１２０を内部装置収容部ＭＳに設置したときにアンテナ１２１を本体部１００の外側に配置することができる。上方側本体外周平面部４１１と下方側本体外周平面部４１２には、本体側ケース係合部４８１、４８２がそれぞれ形成されている。本体側ケース係合部４８１、４８２は、外側ケース１１０を本体側ケース４００に取り付けたときに、外側ケース１１０の外側ケース外周面部１１２と係合する。本体側ケース係合部４８２は、２つの爪部から形成されており、この２つの爪部を同時に押圧しないと外側ケース１１０を取り外せない構成となっている。
【００５９】
本体側配線収容部ＳＳと内部装置収容部ＭＳは、上下に延びる区画部４０２によって区画されている。そのため、本体側配線収容部ＳＳは、４つの本体外周平面部４１１〜４１４のうち、左側本体外周平面部４１４と、上方側本体外周平面部４１１および下方側本体外周平面部４１２の左側端部のみと接している。本体側配線収容部ＳＳは、左側本体外周平面部４１４と内部装置収容部との間に形成され、本体側主面部４０１の端辺に沿って上下方向に延伸した形状を有している。これにより、本体部１００は、本体側配線収容部ＳＳを本体部１００の片側のみに設けて本体部１００の大型化を抑制しつつ、本体側外周面部４１０のうち、内側が本体側収容部ＳＳと接している部分から配線Ｗを本体部１００の内部に引き込むことができる。また、本体側外周面部４１０のうち、内側が本体側配線収容部ＳＳと接触する部分には、切り欠き部ＣＰの形成を容易にするために、複数の目地状の溝３１５が形成されていてもよい。溝３１５は、本体側外周面部４１０の厚みが薄くなるように、本体側ケース４００の開口端側から本体側主面部４０１に向かう方向に沿って形成されている。本実施形態では、上方側本体外周平面部４１１および下方側本体外周平面部４１２の左側端部のみに形成されているが、左側本体外周平面部４１４にも形成されていてもよい。
【００６０】
内部装置収容部ＭＳは、第１の本体側固定部４５０と第２の本体側固定部４６０との間に形成されている。これにより、セキュリティ用無線装置１０の小型化を図ることができる。すなわち、内部装置収容部ＭＳが第１の本体側固定部４５０と第２の本体側固定部４６０との間に配置されていれば、本体部１００を第１の体勢および第２の体勢のいずれの体勢で中間ブラケット部材３００に取り付けても、セキュリティ用無線装置１０を取り付け方向から見たとき、すなわち正面視したときの内部装置収容部ＭＳの位置がほぼ変わらない。そのため、本体部１００を第１の体勢および第２の体勢のいずれの体勢で中間ブラケット部材３００に取り付けた場合であっても、中間ブラケット部材３００のブラケット側配線収容部ＷＳと内部装置収容部ＭＳとがほぼ重なるように構成することができる。
【００６１】
図１９は、中間ブラケット部材３００を例示した図である。図１９（ａ）〜（ｅ）は、それぞれ、中間ブラケット部材３００の正面図、上面図、底面図、右側側面図、および、左側側面図である。図２０は、中間ブラケット部材３００の斜視図である。
【００６２】
中間ブラケット部材３００は、ブラケット側主面部３０１と、ブラケット側外周面部３１０のほか、一対のブラケット側金具係合部３２０、３３０（第１のブラケット側金具係合部３２０と第２のブラケット側金具係合部３３０）と、第１のブラケット側固定部３５０と、第２のブラケット側固定部３６０、ブラケット側係合部３７０とを備えている。ブラケット側主面部３０１の略中央部には、上述した側開口部３４０が形成されている。
【００６３】
一対のブラケット側金具係合部３２０、３３０は、取り付け金具２００の一対の金具側係合部２２０、２３０とそれぞれ係合するための部位であって、ブラケット側主面部３０１の左右の両端辺の略中央に形成されている。本実施形態の一対のブラケット側金具係合部３２０、３３０は、それぞれ上下方向に延伸した開口部として構成されている。中間ブラケット部材３００を取り付け金具２００に取り付けるとき、第１のブラケット側金具係合部３２０が第１の金具側係合部２２０と係合し、第２のブラケット側金具係合部３３０が第２の金具側係合部２３０と係合する。中間ブラケット部材３００は、一対のブラケット側金具係合部３２０、３３０に一対の金具側係合部２２０、２０３を挿通させた後、中間ブラケット部材３００を下方向にスライドさせることで取り付け金具２００に仮固定される。
【００６４】
第１のブラケット側固定部３５０は、中間ブラケット部材３００を取り付け金具２００に固定するための部位であって、中間ブラケット部材３００を取り付け金具２００に取り付けたときに金具側固定部２１０に対向する位置に形成されている。本実施形態では、第１のブラケット側固定部３５０は、ブラケット側主面部３０１の上方側の端辺に形成されている。第１のブラケット側固定部３５０には、貫通した孔部が形成されており、ネジやピンなどの固定部材を用いて、金具側固定部２１０に間接的に係合可能に構成されている。例えば、第１のブラケット側固定部３５０は雌ねじ部として構成されていてもよい。中間ブラケット部材３００を取り付け金具２００に取り付ける場合には、まず、一対の本体側金具係合部４２０、４３０に一対のブラケット側金具係合部３２０、３３０を挿通させた後、中間ブラケット部材３００を下方向にスライドさせることで中間ブラケット部材３００を仮固定し、その後、第１のブラケット側固定部３５０と、金具側固定部２１０にネジを挿通させることによって、中間ブラケット部材３００を固定することができる。このように、中間ブラケット部材３００を取り付け金具２００に取り付ける方法は、本体側ケース４００を取り付け金具２００に取り付ける方法と同じである。よって、セキュリティ用無線装置１０を設置する際の作業の効率化を図ることができる。
【００６５】
第２のブラケット側固定部３６０は、本体側ケース４００を中間ブラケット部材３００に固定するための部位であって、第１の体勢の本体部１００を中間ブラケット部材３００に取り付ける場合には、第２の本体側固定部４６０と対向し、第２の体勢の本体部１００を中間ブラケット部材３００に取り付ける場合には、第１の本体側固定部４５０と対向する位置に形成されている。この構成によれば、中間ブラケット部材３００は、本体部１００に設けられた、本来、本体部１００を取り付け金具２００に固定するための２つの本体側固定部４５０、４６０のうち、取り付け金具２００との間の固定に使用されていない一方を用いて、本体部１００を中間ブラケット部材３００に固定することができる。そのため、本体部１００に中間ブラケット部材３００との間の固定に使用される本体側固定部を別途設ける必要がない。よって、本体部１００を大型化させることなく本体部１００を中間ブラケット部材に固定することができる。本実施形態では、第２のブラケット側固定部３６０は、ブラケット側主面部３０１の下方側の端辺に形成されている。
【００６６】
ブラケット側係合部３７０は、本体側ケース４００の第１の本体側ブラケット係合部４７１または第２の本体側ブラケット係合部４７２と係合する。本実施形態では、ブラケット側係合部３７０は、先端に引っ掛け部が形成された突起部として構成されている。この構成によれば、ブラケット側係合部３７０の先端部を第１の本体側ブラケット係合部４７１または第２の本体側ブラケット係合部４７２に挿通させることによって、本体部１００を中間ブラケット部材３００に容易に固定することができる。ブラケット側係合部３７０は、第２のブラケット側固定部３６０よりも第１のブラケット側固定部３５０に近い位置に形成されているため、中間ブラケット部材３００と本体部１００との間の固定をより安定化させることができる。具体的には、この構成によれば、ブラケット側係合部３７０が第１のブラケット側固定部３５０よりも第２のブラケット側固定部３６０に近い位置に形成されている場合よりも、本体側ブラケット係合部４７１、４７２とブラケット側係合部３７０との係合位置と、本体側固定部４５０、４６０と第２のブラケット側固定部３６０との固定位置と、の間の距離を大きくすることができる。よって、これらによる中間ブラケット部材３００と本体部１００との間の固定をより安定化させることができる。
【００６７】
ブラケット側外周面部３１０は、ブラケット側主面部３０１の上方側端部に形成される上方側ブラケット外周平面部３１１と、下方側端部に形成される下方側ブラケット外周平面部３１２と、右側端部に形成される右側ブラケット外周平面部３１３と、左側端部に形成される左側ブラケット外周平面部３１４とを備えている。この４つのブラケット外周平面部３１１〜３１４とブラケット側主面部３０１によってブラケット側配線収容部ＷＳが形成されている。本体部１００を中間ブラケット部材３００に取り付けるときの取り付け方向から見たときのブラケット側外周面部３１０の外形は、本体側ケース４００をその取り付け方向から見たときの外形とほぼ同じである。この構成によれば、本体部１００を中間ブラケット部材３００に取り付けるときの取り付け方向から見たときのセキュリティ用無線装置１０の全体の大きさを抑制することができる。右側ブラケット外周平面部３１３と左側ブラケット外周平面部３１４には、ブラケット側移動規制部３８１、３８２がそれぞれ形成されている。ブラケット側移動規制部３８１、３８２は、本体部１００を中間ブラケット部材３００に取り付けたときに、本体側ケース４００と係合する。
【００６８】
ブラケット側配線収容部ＷＳは、４つのブラケット外周平面部３１１〜３１４とそれぞれ接している。そのため、４つのブラケット外周平面部３１１〜３１４のどこにでも配線を引き込むための切り欠き部ＣＰを形成することができる。よって、セキュリティ用無線装置１０の周囲において、壁面を這わせた配線Ｗの配線経路を目立つほど変化させずにセキュリティ用無線装置１０に引き込むことができる。また、本実施形態の上方側ブラケット外周平面部３１１および下方側ブラケット外周平面部３１２には、切り欠き部ＣＰの形成を容易にするために、複数の目地状の溝３１５が形成されている。溝３１５は、４つのブラケット外周平面部３１１〜３１４のどこにでも形成することができる。
【００６９】
ブラケット側配線収容部ＷＳは、第１のブラケット側固定部３５０と第２のブラケット側固定部３６０の間に形成されている。これにより、セキュリティ用無線装置１０の小型化を図ることができる。すなわち、ブラケット側配線収容部ＷＳが第１のブラケット側固定部３５０と第２のブラケット側固定部３６０の間との間に配置されていれば、本体部１００を中間ブラケット部材３００に取り付けるときの取り付け方向から見たときの内部装置収容部ＭＳの位置とブラケット側配線収容部ＷＳの位置がほぼ重なるように構成することができる。
【００７０】
以上説明した、本実施形態のセキュリティ用無線装置１０によれば、建物への侵入者等にその存在を気がつかれないように、セキュリティ用無線装置１０をより目立たなくすることができる。具体的には、セキュリティ用無線装置に外部配線を引き込んだ際、装置の周囲において配線の長さが余らなかった場合、または、目立たない程度に長さが余る場合には、図１〜４、９〜１１に示すように、中間ブラケット部材３００を使用せずにセキュリティ用無線装置１０の本体部１００を直接的に取り付け面２０に固定できる。そのため、セキュリティ用無線装置１０の大きさを抑制することができる。一方、セキュリティ用無線装置に外部配線を引き込んだ際、装置の周囲において配線の長さが目立つ程度に余る場合には、図５〜８、１２〜１４に示すように、中間ブラケット部材３００を使用することによって、中間ブラケット部材３００の内部の配線収容部ＷＳにおいて配線方向を変化させて本体部１００に接続することができる。これにより、セキュリティ用無線装置１０周辺の配線Ｗによってセキュリティ用無線装置１０が目立つようになることを抑制することができる。また、この構成によれば、選択的に中間ブラケット部材３００を使用してセキュリティ用無線装置１０の本体部１００を取り付け面２０に固定することができるため、取り付け場所の状況に応じてより目立たない構成を選択することができる。
【００７１】
Ｂ．変形例：
なお、この発明は上記の実施形態に限られるものではなく、その要旨を逸脱しない範囲において種々の態様において実施することが可能であり、例えば次のような変形も可能である。
【００７２】
Ｂ−１．変形例１：
本実施形態の金具側固定部２１０、第１および第２のブラケット側固定部３５０、３６０、第１および第２の本体側固定部４５０、４６０などの固定部は、ネジやピンなどの固定部材を用いて、互いに間接的に係合するものとして説明したが、互いに直接的に係合する構成であってもよい。例えば、これらの固定部の一方がフックで構成され、対向する他方が開口部で構成されてもよい。また、固定部が磁石によって構成され、互いに磁力によって固定されてもよい。
【００７３】
Ｂ−２．変形例２：
本発明は、種々の態様で実現することが可能であり、例えば、セキュリティ用無線装置の取り付け構造、取り付け方法、セキュリティ用無線装置の製造方法、セキュリティ用無線装置を含んだセキュリティシステムなどの形態で実現することができる。
【符号の説明】
【００７４】
１０…セキュリティ用無線装置
２０…取り付け面
１００…本体部
１１０…外側ケース
１１１…外側ケース主面部
１１２…外側ケース外周面部
１２０…内部装置
１２１…アンテナ
１２２…基板部
１２３…電源部
２００…取り付け金具
２０１…金具側主面部
２０２…孔部
２１０…金具側固定部
２１１…孔部
２２０…第１の金具側係合部
２３０…第２の金具側係合部
２４０…金具側開口部
３００…中間ブラケット部材
３０１…ブラケット側主面部
３１０…ブラケット側外周面部
３１１…上方側ブラケット外周平面部
３１２…下方側ブラケット外周平面部
３１３…右側ブラケット外周平面部
３１４…左側ブラケット外周平面部
３１５…溝
３２０…第１のブラケット側金具係合部
３３０…第２のブラケット側金具係合部
３４０…ブラケット側開口部
３５０…第１のブラケット側固定部
３６０…第２のブラケット側固定部
３７０…ブラケット側係合部
３８１…ブラケット側移動規制部
４００…本体側ケース
４０１…本体側主面部
４０２…区画部
４１０…本体側外周面部
４１１…上方側本体外周平面部
４１２…下方側本体外周平面部
４１３…右側本体外周平面部
４１４…左側本体外周平面部
４１６…アンテナ取り出し部
４２０…第１の本体側金具係合部
４３０…第２の本体側金具係合部
４４０…本体側開口部
４５０…第１の本体側固定部
４６０…第２の本体側固定部
４７１…第１の本体側ブラケット係合部
４７２…第２の本体側ブラケット係合部
４８１…本体側ケース係合部
Ｗ…配線
ＭＳ…装置収容部
ＳＳ…本体側配線収容部
ＷＳ…ブラケット側配線収容部
【図１】
0006471473.tif 000002
【図２】
0006471473.tif 000003
【図３】
0006471473.tif 000004
【図４】
0006471473.tif 000005
【図５】
0006471473.tif 000006
【図６】
0006471473.tif 000007
【図７】
0006471473.tif 000008
【図８】
0006471473.tif 000009
【図９】
0006471473.tif 000010
【図１０】
0006471473.tif 000011
【図１１】
0006471473.tif 000012
【図１２】
0006471473.tif 000013
【図１３】
0006471473.tif 000014
【図１４】
0006471473.tif 000015
【図１５】
0006471473.tif 000016
【図１６】
0006471473.tif 000017
【図１７】
0006471473.tif 000018
【図１８】
0006471473.tif 000019
【図１９】
0006471473.tif 000020
【図２０】
0006471473.tif 000021